(57)【要約】【課題】背もたれと肘掛との隙間に衣服等が引っ掛かりにくく、かつ、組み立てやすいポータブルトイレを提供する。【解決手段】ポータブルトイレ１は、外郭２０、背もたれ３０、および、肘掛４０を有する。外郭２０は、便槽および便座を支持する。背もたれ３０および肘掛４０は外郭２０に取り付けられている。肘掛４０は、外郭２０のうちの背もたれ３０の前方側の部分に取り付けられている。背もたれ３０と対向する部分である対向面４１Ａ、および、背もたれ３０のうちの肘掛４０と対向する部分である対向面３２が、それぞれ、ポータブルトイレ１の幅方向の内方から外方に向かうにつれて、ポータブルトイレ１の後方から前方に向けて傾斜している。背もたれ３０の対向面３２と肘掛４０との間には、隙間が形成されている。【選択図】図６
2015134041.tif 000002
【特許請求の範囲】
【請求項１】
便槽および便座を支持する外郭と、
前記外郭に取り付けられた背もたれおよび肘掛と
を備えるポータブルトイレであって、
前記肘掛が、前記外郭のうちの前記背もたれの前方側の部分に取り付けられ、
前記背もたれのうちの前記肘掛と対向する部分である対向面、および、前記肘掛のうちの前記背もたれと対向する部分である対向面が、隙間を介して対向し、または、互いに接触し、それぞれの対向面が、前記ポータブルトイレの幅方向の内方から外方に向かうにつれて、前記ポータブルトイレの後方から前方に向けて、または、前記ポータブルトイレの前方から後方に向けて傾斜している
ポータブルトイレ。
【請求項２】
前記外郭に対する前記肘掛の高さを調整するための機構をさらに備える
請求項１に記載のポータブルトイレ。
【請求項３】
前記背もたれの対向面と前記肘掛の対向面とが実質的に平行している
請求項１または２に記載のポータブルトイレ。
【発明の詳細な説明】
【技術分野】
【０００１】
本発明は、介護等に用いられるポータブルトイレに関する。
【背景技術】
【０００２】
ポータブルトイレは、主として介護に用いられる。このため、従来のポータブルトイレの一形態は、使用者がポータブルトイレを使用するときの負担を軽減するため、背もたれおよび肘掛を有する。
【０００３】
特許文献１は、このようなポータブルトイレの一例を開示している。このポータブルトイレは、便槽および便座を支持する外郭、ならびに、外郭に取り付けられた背もたれおよび肘掛を有する。また、このポータブルトイレは、使用者の衣服等が背もたれと肘掛との間に形成される隙間に挟まるおそれを低減するため、背もたれの側部にガイド部を形成し、肘掛にスライド溝部を形成し、ガイド部をスライド溝部に嵌め込んでいる。このため、使用者が背もたれまたは肘掛に力を加えても、背もたれと肘掛との隙間が大きくなりにくい。このため、使用者の衣服等が、背もたれと肘掛との間の隙間に挟まりにくくなる。
【先行技術文献】
【特許文献】
【０００４】
【特許文献１】特開２０１２−１５２２５７号公報
【発明の概要】
【発明が解決しようとする課題】
【０００５】
特許文献１のポータブルトイレによれば、肘掛を外郭に取り付けるとき、背もたれのガイド部を肘掛のスライド溝に嵌め合わせる作業が必要になる。このため、ポータブルトイレを組み立てる作業に手間がかかるおそれがある。なお、介護以外の用途を有するポータブルトイレであっても、背もたれと肘掛との間に隙間が形成されるポータブルトイレであれば、特許文献１のポータブルトイレと同様に、使用者の衣服等が背もたれと肘掛との間に形成される隙間に挟まるおそれがある。
【０００６】
本発明の目的は、背もたれと肘掛との隙間に衣服等が引っ掛かりにくく、かつ、組み立てやすいポータブルトイレを提供することである。
【課題を解決するための手段】
【０００７】
〔１〕本ポータブルトイレの独立した一形態によれば、便槽および便座を支持する外郭と、前記外郭に取り付けられた背もたれおよび肘掛とを備えるポータブルトイレであって、前記肘掛が、前記外郭のうちの前記背もたれの前方側の部分に取り付けられ、前記背もたれのうちの前記肘掛と対向する部分である対向面、および、前記肘掛のうちの前記背もたれと対向する部分である対向面が、隙間を介して対向し、または、互いに接触し、それぞれの対向面が、前記ポータブルトイレの幅方向の内方から外方に向かうにつれて、前記ポータブルトイレの後方から前方に向けて、または、前記ポータブルトイレの前方から後方に向けて傾斜している。
【０００８】
〔２〕前記ポータブルトイレに従属する一形態によれば、前記外郭に対する前記肘掛の高さを調整するための機構をさらに備える。
〔３〕前記ポータブルトイレに従属する一形態によれば、前記背もたれの対向面と前記肘掛の対向面とが実質的に平行している。
【発明の効果】
【０００９】
本発明の目的は、背もたれと肘掛との隙間に衣服等が引っ掛かりにくく、かつ、組み立てやすいポータブルトイレを提供することである。
【図面の簡単な説明】
【００１０】
【図１】実施形態のポータブルトイレの斜視図。
【図２】実施形態のポータブルトイレの平面図。
【図３】実施形態のポータブルトイレの側面図。
【図４】実施形態の肘掛の部分断面図。
【図５】（ａ）実施形態の肘掛の図であり、ボタンが押されていない状態の拡大図。（ｂ）肘掛のボタンが押された状態の拡大図。
【図６】実施形態のポータブルトイレの平面図。
【図７】（ａ）（ｂ）比較例の背もたれおよび肘掛の一部を示す模式図。（ｃ）（ｄ）実施形態の背もたれおよび肘掛の一部を示す模式図。
【図８】変形例のポータブルトイレの平面図。
【発明を実施するための形態】
【００１１】
図１〜図３を参照して、ポータブルトイレ１の構成について説明する。
図１に示されるように、ポータブルトイレ１は、便槽１１、便蓋１２、脚１３、外郭２０、背もたれ３０、および、肘掛４０を有する。便槽１１は、外郭２０の穴（図示略）に嵌め込まれている。
【００１２】
便蓋１２は、便槽１１を覆うように外郭２０の上面かつ後端部に取り付けられている。なお、便槽１１と便蓋１２との間には、図示しない便座が外郭２０に取り付けられている。便槽１１、便蓋１２、および、便座は外郭２０により支持されている。背もたれ３０は、外郭２０の上面かつ後端部に取り付けられている。肘掛４０は、外郭２０の幅方向の両端部に取り付けられている。
【００１３】
外郭２０は、外郭２０の下面において下方に突出する４つの脚取付部２１を有する。脚取付部２１は、円筒形状を有する。脚取付部２１には、脚１３が挿入されている。脚１３は、高さ調整機構１３Ａを有する。高さ調整機構１３Ａは、脚１３の外周に長手方向に並んで形成される溝である。高さ調整機構１３Ａが脚取付部２１の内周面に形成される凸部に嵌め込まれることにより、ポータブルトイレ１の高さを調整できる。
【００１４】
図２および図３を参照して、背もたれ３０の構成について説明する。
図２に示されるように、背もたれ３０は、外郭２０に固定される２つの支柱３１と、２つの支柱３１の上端部をかけわたす支持部３５とを有する。背もたれ３０は、樹脂材料により形成されている。
【００１５】
図３に示されるように、支柱３１は、外郭２０の後端部かつ上面に取り付けられている。外郭２０の後端部には、背もたれ３０の支柱３１の下端部３３を挿入するための背もたれ取付穴２２が形成されている。支柱３１の背面側には、高さ方向に延びる取付穴３４が形成されている。取付穴３４には、外郭２０から上方に突出する凸部２４が挿入されている。凸部２４の上端部２４Ａは、取付穴３４から突出している。上端部２４Ａには、ロック部材３６が嵌め込まれている。ロック部材３６は、上端部２４Ａに形成される周溝に嵌め込まれ、背もたれ３０が外郭２０から抜けることを抑制している。
【００１６】
図３〜図５を参照して、肘掛４０の構成について説明する。
図３に示されるように、肘掛４０は、ケース４１、カバー４４、および高さ調整機構５０（図４参照）を有する。ケース４１は、肘掛部分４２および２つの支持部分４３を有する。ケース４１は、樹脂材料により形成されている。
【００１７】
図４に示されるように、支持部分４３は、円筒形状を有している。肘掛部分４２は、支持部分４３の上端部を接続している。肘掛部分４２の長手方向の中間部分にはボタン穴４２Ａが形成されている。カバー４４は、肘掛部分４２の外周において肘掛部分４２の長手方向にスライド可能に肘掛部分４２に取り付けられている。カバー４４は、使用者がスライド位置を変更することにより、ボタン穴４２Ａを露出および閉鎖することができる。
【００１８】
高さ調整機構５０は、押下部５１、軸部５４、ピン５６、および、スリーブ６０を有する。押下部５１および軸部５４は、ケース４１の中に配置されている。
押下部５１は、棒状の部材として形成されている。押下部５１の長手方向の中間部分には、ボタン５２が形成されている。押下部５１は、ボタン５２がボタン穴４２Ａと対応する位置になるように肘掛部分４２に収容されている。ボタン５２の下面は、ばね５３により支持されている。２つの軸部５４は、棒状の部材として形成されている。
【００１９】
２つの軸部５４は、押下部５１の長手方向の両端部に連結されている。
図５（ａ）に示されるように、軸部５４の下端部５５は、スリーブ６０に収容されている。下端部５５の端面は傾斜している。
【００２０】
ピン５６は、図５に示される側面視においてＬ字形状を有している。ピン５６の上端部５７の端面は傾斜している。上端部５７の端面は、下端部５５の端面と平行している。ピン５６の径方向に突出した凸部５８の突出方向とは反対側には、ばね５９が取り付けられている。
【００２１】
スリーブ６０は、肘掛取付穴２５（図１参照）の内部に固定されている。スリーブ６０は、円筒形状を有する。スリーブ６０の外周には、複数のピン穴６１が形成されている。ピン穴６１は、高さ方向に並んでいる。スリーブ６０には、支持部分４３および軸部５４が挿入されている。
【００２２】
高さ調整機構５０の機能について説明する。
図５（ａ）に示されるように、ボタン５２（図４参照）が押されていないとき、凸部５８は、スリーブ６０の内周面よりも外側に突出している。凸部５８がピン穴６１と対応する位置にあるとき、凸部５８はピン穴６１に嵌りこんでいる。このため、支持部分４３および軸部５４の高さ方向への移動が規制されている。
【００２３】
図４に示されるように、ボタン５２が押されているとき、押下部５１は、ばね５３を押し付けて、下方に移動している。図５（ｂ）に示されるように、下方に移動した押下部５１は、軸部５４を押し下げている。このため、下端部５５が上端部５７を押し下げている。下端部５５の端面および上端部５７の端面は傾斜しているため、ピン５６は、ばね５９側に押し付けられる。このため、凸部５８がばね５９側に移動し、凸部５８がピン穴６１から抜ける。このため、支持部分４３および軸部５４の高さ方向への移動が許容される。
【００２４】
使用者は、ボタン５２を押した状態においてケース４１を高さ方向に移動させることにより、肘掛４０の高さ位置をピン穴６１の位置に応じて設定できる。また、凸部５８をスリーブ６０の下端よりも下方に移動するとき、図３の実線で示されるように肘掛部分４２の下面が外郭２０の上面と接触する位置まで肘掛４０を下げることができる。
【００２５】
図６を参照して、背もたれ３０と肘掛４０との関係について説明する。
支柱３１のうちの最も前方に突出している部分である対向面３２は、ケース４１のうちの最も後方に突出している部分の一部（以下、「対向面４１Ａ」）と対向している。対向面３２と対向面４１Ａとの間には、隙間が形成されている。
【００２６】
対向面３２および対向面４１Ａは、ポータブルトイレ１の幅方向の内方から外方に向かうにつれて、ポータブルトイレ１の後方から前方に向けて傾斜している。対向面３２および対向面４１Ａは、実質的に平行している。
【００２７】
背もたれ３０の対向面３２の一部が、ポータブルトイレ１の幅方向において肘掛４０の対向面４１Ａの一部よりも外側に存在している。背もたれ３０の対向面３２のうちの外側の部分３２Ａは、ポータブルトイレ１の幅方向において肘掛４０の対向面４１Ａの一部と隣り合っている。
【００２８】
図７を参照して、ポータブルトイレ１の作用について説明する。
使用者が背もたれ３０および肘掛４０に手をかける等して力をかけるとき、背もたれ３０および肘掛４０には曲げが生じる。
【００２９】
例えば、図７（ａ）および図７（ｂ）は、対向面１３２と対向面１４１Ａとがポータブルトイレ１の幅方向に平行している比較例を示している。背もたれ３０および肘掛４０に力が加わっていないとき、対向面１３２と対向面１４１Ａとの間には隙間Ｌが形成されている。図７（ａ）に示される比較例の背もたれ３０に後方かつ外方の力が加わり、肘掛４０に外方の力が加わったとき、図７（ｂ）の実線で示されるように、対向面１３２と対向面１４１Ａが離れるため、隙間Ｌよりも大きい隙間ＬＡが形成される。
【００３０】
一方、図７（ｃ）に示されるように、ポータブルトイレ１の対向面３２と対向面４１Ａとはポータブルトイレ１の幅方向の内方から外方に向かうにつれて、ポータブルトイレ１の後方から前方に向けて傾斜している。背もたれ３０および肘掛４０に力が加わっていないとき、対向面３２と対向面４１Ａとの間には隙間Ｌが形成されている。背もたれ３０に後方かつ外方の力が加わり、肘掛４０に外方の力が加わったとき、図７（ｄ）に示されるように、対向面３２と対向面４１Ａとが互いに沿うように移動する。このため、隙間ＬＡよりも小さい隙間ＬＢが形成される。
【００３１】
さらに、図７（ｃ）に示されるように、背もたれ３０および肘掛４０に力が加わっていないときの対向面３２の最も前方の部分から対向面４１Ａの最も後方の部分までの前後方向における大きさＬＣを、比較例の大きさ（隙間Ｌ）よりも小さくできる。
【００３２】
図７（ｄ）に示されるように、背もたれ３０および肘掛４０に力が加わっているときの対向面３２の最も前方の部分から対向面４１Ａの最も後方の部分までの前後方向における大きさＬＤを比較例の大きさ（隙間ＬＡ）よりも小さくできる。
【００３３】
すなわち、ポータブルトイレ１は、ポータブルトイレ１の対向面３２と対向面４１Ａとがポータブルトイレ１の幅方向に対して傾斜しているため、比較例の対向面１３２と対向面１４１Ａとが幅方向に平行する構成と比較して、隙間が大きくなることを抑制できる。
【００３４】
ポータブルトイレ１は以下の効果を奏する。
（１）ポータブルトイレ１は、背もたれ３０の対向面３２、および、肘掛４０の対向面４１Ａが、それぞれ、ポータブルトイレ１の幅方向の内方から外方に向かうにつれて、ポータブルトイレ１の後方から前方に向けて傾斜している。このため、対向面３２および対向面４１Ａがポータブルトイレ１の幅方向に平行する構成と比較して、対向面３２と対向面４１Ａとの隙間が大きくなることを抑制できる。このため、背もたれ３０と肘掛４０との隙間に衣服等が引っ掛かりにくく、かつ、溝とガイド部を嵌め込むことにより隙間が大きくなることを抑制する場合と比較して組み立てやすい。
【００３５】
（２）対向面３２および対向面４１Ａは、ポータブルトイレ１の幅方向の内方から外方に向かうにつれて、ポータブルトイレ１の後方から前方に向けて傾斜している。このため、肘掛４０の外方への移動が背もたれ３０の対向面３２により規制される。このため、肘掛４０が過度に外方に広がることを抑制できる。
【００３６】
（３）ポータブルトイレ１は、外郭２０に対する肘掛４０の高さを調整するための高さ調整機構５０を有している。このため、肘掛４０の高さを使用者の体格に合わせて調整することができる。また、肘掛４０を外郭２０に接触するまで下げられるため、使用者が幅方向の外方から便座に座ったり、介助を行ったりしやすい。このため、ポータブルトイレ１の利便性に貢献できる。
【００３７】
（４）背もたれ３０の対向面３２と肘掛４０の対向面４１Ａとは実質的に平行している。このため、背もたれ３０および肘掛４０に力をかけていない状態においても対向面３２と対向面４１Ａとの間に形成される隙間が大きくなることを抑制できる。
【００３８】
（その他の実施形態）
本ポータブルトイレが取り得る具体的な形態は、上記実施形態に例示された形態に限定されない。本ポータブルトイレは、本発明の目的が達成される範囲において、上記実施形態とは異なる各種の形態を取り得る。以下に示される上記実施形態の変形例は、本ポータブルトイレが取り得る各種の形態の一例である。
【００３９】
・実施形態の背もたれ３０の対向面３２および肘掛４０の対向面４１Ａを、図８に示すようにしてもよい。すなわち、対向面３２および対向面４１Ａは、それぞれ、ポータブルトイレ１の幅方向の内方から外方に向かうにつれて、ポータブルトイレ１の前方から後方に向けて傾斜する。対向面４１Ａの一部は、ポータブルトイレ１の幅方向において対向面３２の一部よりも外側に存在する。対向面４１Ａのうちの外側の部分４１Ｂは、ポータブルトイレ１の幅方向において対向面３２の一部と隣り合っている。
【００４０】
・高さ調整機構５０を省略することもできる。
・肘掛４０の高さを無段階で調整できる高さ調整機構５０を採用することもできる。
・対向面３２のポータブルトイレ１の幅方向に対する傾斜角度と対向面４１Ａのポータブルトイレ１の幅方向に対する傾斜角度を異ならせることもできる。
【００４１】
・対向面３２と対向面４１Ａとの間には、隙間が形成されているが、対向面３２と対向面４１Ａとを接触させることもできる。
（実施形態の記載に基づく付記事項）
上記実施形態に記載の事項を上位概念化した事項を以下に記載する。
【００４２】
（付記Ａ）便槽および便座を支持する外郭と、前記外郭に取り付けられた背もたれおよび肘掛とを備えるポータブルトイレであって、前記肘掛が、前記外郭のうちの前記背もたれの前方側の部分に取り付けられ、前記背もたれのうちの前記肘掛と対向する部分である対向面が、前記肘掛のうちの前記背もたれと対向する部分である対向面よりも前記ポータブルトイレの幅方向において外側に存在しているポータブルトイレ。
【００４３】
上記付記Ａのポータブルトイレは、背もたれの対向面の一部が、肘掛の対向面の一部よりも外側に存在しているため、肘掛の外方の移動が背もたれの対向面の一部により規制される。このため、肘掛が過度に外方に広がることを抑制できる。
【００４４】
（付記Ｂ）前記肘掛に外方に向かう力が加えられたとき、前記肘掛の対向面が前記背もたれの対向面に接触するポータブルトイレ。
【符号の説明】
【００４５】
１…ポータブルトイレ、１１…便槽、２０…外郭、３０…背もたれ、３２…対向面、４０…肘掛、４１Ａ…対向面、５０…高さ調整機構。
【図１】
2015134041.tif 000003
【図２】
2015134041.tif 000004
【図３】
2015134041.tif 000005
【図４】
2015134041.tif 000006
【図５】
2015134041.tif 000007
【図６】
2015134041.tif 000008
【図７】
2015134041.tif 000009
【図８】
2015134041.tif 000010